【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
燃料と酸化剤との供給を受けて電力を発生する固体高分子型燃料電池と、
前記固体高分子型燃料電池内を通過するように設けられた、前記固体高分子型燃料電池が有する熱を担持する第１の熱媒体が内部を循環する冷却循環系と、
前記冷却循環系内にて前記第１の熱媒体を循環させる第１の熱媒体循環手段と、
前記第１の熱媒体から伝達された熱を担持する第２の熱媒体が流れる熱媒体経路と、
前記熱媒体経路内の前記第２の熱媒体を循環させる第２の熱媒体循環手段と、
前記第１の熱媒体と前記第２の熱媒体との間で熱交換を行い、前記第１の熱媒体が担持した熱を前記第２の熱媒体へ伝達する熱交換器と、
前記第１の熱媒体の温度を検出する温度検出手段と、
前記固体高分子型燃料電池の発電が停止した後も、または前記固体高分子型燃料電池への前記燃料と前記酸化剤との供給が停止した後も、前記第１の熱媒体循環手段及び前記第２の熱媒体循環手段を動作させ、前記温度検出手段によって検出された温度が予め定められた目標温度より大きい場合は、前記第１の熱媒体循環手段の搬送能力を大きくし、前記温度検出手段によって検出された温度が予め定められた目標温度より小さい場合は、前記第１の熱媒体循環手段の搬送能力を小さくするよう制御し、その後、前記第１の熱媒体循環手段及び前記第２の熱媒体循環手段を停止させる制御を行うコントローラと、
を備える燃料電池システム。
【請求項２】
燃料と酸化剤との供給を受けて電力を発生する固体高分子型燃料電池と、
前記固体高分子型燃料電池内を通過するように設けられた、前記固体高分子型燃料電池が有する熱を担持する第１の熱媒体が内部を循環する冷却循環系と、
前記冷却循環系内にて前記第１の熱媒体を循環させる第１の熱媒体循環手段と、
前記第１の熱媒体から伝達された熱を担持する第２の熱媒体が流れる熱媒体経路と、
前記第２の熱媒体経路内の前記第２の熱媒体を循環させる第２の熱媒体循環手段と、
前記第１の熱媒体と前記第２の熱媒体との間で熱交換を行い、前記第１の熱媒体が担持した熱を前記第２の熱媒体へ伝達する熱交換器と、
前記第２の熱媒体の温度を検出する温度検出手段と、
前記固体高分子型燃料電池の発電が停止した後も、または前記固体高分子型燃料電池への前記燃料と前記酸化剤との供給が停止した後も、前記第１の熱媒体循環手段及び前記第２の熱媒体循環手段を動作させ、前記温度検出手段によって検出された温度が予め定められた目標温度より大きい場合は、前記第２の熱媒体循環手段の搬送能力を大きくし、前記温度検出手段によって検出された温度が予め定められた目標温度より小さい場合は、前記第２の熱媒体循環手段の搬送能力を小さくするよう制御し、その後、前記第１の熱媒体循環手段及び前記第２の熱媒体循環手段を停止させる制御を行うコントローラと、
を備える燃料電池システム。
【請求項３】
前記コントローラは、前記第１の熱媒体循環手段及び前記第２の熱媒体循環手段を停止させたときの前記第２の熱媒体の温度がしきい温度以上となるよう制御する、請求項１又は２に記載の燃料電池システム。
【請求項４】
前記第１の熱媒体循環手段及び前記第２の熱媒体循環手段の動作時に、前記熱交換器を通過した第２の熱媒体を貯える貯湯漕を備え、
前記しきい温度は、前記第２の熱媒体を貯湯槽へ貯める温度として望まれる温度に設定される、請求項３に記載の燃料電池システム。
【請求項５】
燃料と酸化剤との供給を受けて電力を発生する固体高分子型燃料電池と、
前記固体高分子型燃料電池内を通過するように設けられた、前記固体高分子型燃料電池が有する熱を担持する第１の熱媒体が内部を循環する冷却循環系と、
前記冷却循環系内にて前記第１の熱媒体を循環させる第１の熱媒体循環手段と、
前記第１の熱媒体から伝達された熱を担持する第２の熱媒体が流れる熱媒体経路と、
前記熱媒体経路内の前記第２の熱媒体を循環させる第２の熱媒体循環手段と、
前記第１の熱媒体と前記第２の熱媒体との間で熱交換を行い、前記第１の熱媒体が担持した熱を前記第２の熱媒体へ伝達する熱交換器と、
前記第１の熱媒体の温度を検出する温度検出手段と、
を備える燃料電池システムの運転方法であって、
前記固体高分子型燃料電池の発電が停止した後も、または前記固体高分子型燃料電池への前記燃料と前記酸化剤との供給が停止した後も、前記第１の熱媒体循環手段及び前記第２の熱媒体循環手段を動作させ、前記温度検出手段によって検出された温度が予め定められた目標温度より大きい場合は、前記第１の熱媒体循環手段の搬送能力を大きくし、前記温度検出手段によって検出された温度が予め定められた目標温度より小さい場合は、前記第１の熱媒体循環手段の搬送能力を小さくするよう制御し、その後、前記第１の熱媒体循環手段及び前記第２の熱媒体循環手段を停止させる、
燃料電池システムの運転方法。
【請求項６】
燃料と酸化剤との供給を受けて電力を発生する固体高分子型燃料電池と、
前記固体高分子型燃料電池内を通過するように設けられた、前記固体高分子型燃料電池が有する熱を担持する第１の熱媒体が内部を循環する冷却循環系と、
前記冷却循環系内にて前記第１の熱媒体を循環させる第１の熱媒体循環手段と、
前記第１の熱媒体から伝達された熱を担持する第２の熱媒体が流れる熱媒体経路と、
前記熱媒体経路内の前記第２の熱媒体を循環させる第２の熱媒体循環手段と、
前記第１の熱媒体と前記第２の熱媒体との間で熱交換を行い、前記第１の熱媒体が担持した熱を前記第２の熱媒体へ伝達する熱交換器と、
前記第２の熱媒体の温度を検出する温度検出手段と、
を備える燃料電池システムの運転方法であって、
前記固体高分子型燃料電池の発電が停止した後も、または前記固体高分子型燃料電池への前記燃料と前記酸化剤との供給が停止した後も、前記第１の熱媒体循環手段及び前記第２の熱媒体循環手段を動作させ、前記温度検出手段によって検出された温度が予め定められた目標温度より大きい場合は、前記第２の熱媒体循環手段の搬送能力を大きくし、前記温度検出手段によって検出された温度が予め定められた目標温度より小さい場合は、前記第２の熱媒体循環手段の搬送能力を小さくするよう制御し、その後、前記第１の熱媒体循環手段及び前記第２の熱媒体循環手段を停止させる、
燃料電池システムの運転方法。
【請求項７】
前記第１の熱媒体循環手段及び前記第２の熱媒体循環手段を停止させたときの前記第２の熱媒体の温度がしきい温度以上である、請求項５又は６に記載の燃料電池システムの運転方法。
【請求項８】
前記第１の熱媒体循環動作及び前記第２の熱媒体循環手段の動作時に、前記熱交換器を通過した第２の熱媒体が貯湯漕に供給され、前記しきい温度は、前記第２の熱媒体を貯湯槽へ貯める温度として望まれる温度である、請求項７に記載の燃料電池システムの運転方法。
【手続補正２】
【補正対象書類名】明細書
【補正対象項目名】００１４
【補正方法】変更
【補正の内容】
【００１４】
第１の本発明は、燃料と酸化剤との供給を受けて電力を発生する固体高分子型燃料電池と、
前記固体高分子型燃料電池内を通過するように設けられた、前記固体高分子型燃料電池が有する熱を担持する第１の熱媒体が内部を循環する冷却循環系と、
前記冷却循環系内にて前記第１の熱媒体を循環させる第１の熱媒体循環手段と、
前記第１の熱媒体から伝達された熱を担持する第２の熱媒体が流れる熱媒体経路と、
前記熱媒体経路内の前記第２の熱媒体を循環させる第２の熱媒体循環手段と、
前記第１の熱媒体と前記第２の熱媒体との間で熱交換を行い、前記第１の熱媒体が担持した熱を前記第２の熱媒体へ伝達する熱交換器と、
前記第１の熱媒体の温度を検出する温度検出手段と、
前記固体高分子型燃料電池の発電が停止した後も、または前記固体高分子型燃料電池への前記燃料と前記酸化剤との供給が停止した後も、前記第１の熱媒体循環手段及び前記第２の熱媒体循環手段を動作させ、前記温度検出手段によって検出された温度が予め定められた目標温度より大きい場合は、前記第１の熱媒体循環手段の搬送能力を大きくし、前記温度検出手段によって検出された温度が予め定められた目標温度より小さい場合は、前記第１の熱媒体循環手段の搬送能力を小さくするよう制御し、その後、前記第１の熱媒体循環手段及び前記第２の熱媒体循環手段を停止させる制御を行うコントローラと、
を備える燃料電池システムである。
【手続補正３】
【補正対象書類名】明細書
【補正対象項目名】００１５
【補正方法】変更
【補正の内容】
【００１５】
第２の本発明は、燃料と酸化剤との供給を受けて電力を発生する固体高分子型燃料電池と、
前記固体高分子型燃料電池内を通過するように設けられた、前記固体高分子型燃料電池が有する熱を担持する第１の熱媒体が内部を循環する冷却循環系と、
前記冷却循環系内にて前記第１の熱媒体を循環させる第１の熱媒体循環手段と、
前記第１の熱媒体から伝達された熱を担持する第２の熱媒体が流れる熱媒体経路と、
前記第２の熱媒体経路内の前記第２の熱媒体を循環させる第２の熱媒体循環手段と、
前記第１の熱媒体と前記第２の熱媒体との間で熱交換を行い、前記第１の熱媒体が担持した熱を前記第２の熱媒体へ伝達する熱交換器と、
前記第２の熱媒体の温度を検出する温度検出手段と、
前記固体高分子型燃料電池の発電が停止した後も、または前記固体高分子型燃料電池への前記燃料と前記酸化剤との供給が停止した後も、前記第１の熱媒体循環手段及び前記第２の熱媒体循環手段を動作させ、前記温度検出手段によって検出された温度が予め定められた目標温度より大きい場合は、前記第２の熱媒体循環手段の搬送能力を大きくし、前記温度検出手段によって検出された温度が予め定められた目標温度より小さい場合は、前記第２の熱媒体循環手段の搬送能力を小さくするよう制御し、その後、前記第１の熱媒体循環手段及び前記第２の熱媒体循環手段を停止させる制御を行うコントローラと、
を備える燃料電池システムである。
【手続補正４】
【補正対象書類名】明細書
【補正対象項目名】００１８
【補正方法】変更
【補正の内容】
【００１８】
第５の本発明は、燃料と酸化剤との供給を受けて電力を発生する固体高分子型燃料電池と、
前記固体高分子型燃料電池内を通過するように設けられた、前記固体高分子型燃料電池が有する熱を担持する第１の熱媒体が内部を循環する冷却循環系と、
前記冷却循環系内にて前記第１の熱媒体を循環させる第１の熱媒体循環手段と、
前記第１の熱媒体から伝達された熱を担持する第２の熱媒体が流れる熱媒体経路と、
前記熱媒体経路内の前記第２の熱媒体を循環させる第２の熱媒体循環手段と、
前記第１の熱媒体と前記第２の熱媒体との間で熱交換を行い、前記第１の熱媒体が担持した熱を前記第２の熱媒体へ伝達する熱交換器と、
前記第１の熱媒体の温度を検出する温度検出手段と、
を備える燃料電池システムの運転方法であって、
前記固体高分子型燃料電池の発電が停止した後も、または前記固体高分子型燃料電池への前記燃料と前記酸化剤との供給が停止した後も、前記第１の熱媒体循環手段及び前記第２の熱媒体循環手段を動作させ、前記温度検出手段によって検出された温度が予め定められた目標温度より大きい場合は、前記第１の熱媒体循環手段の搬送能力を大きくし、前記温度検出手段によって検出された温度が予め定められた目標温度より小さい場合は、前記第１の熱媒体循環手段の搬送能力を小さくするよう制御し、その後、前記第１の熱媒体循環手段及び前記第２の熱媒体循環手段を停止させる、
燃料電池システムの運転方法である。
【手続補正５】
【補正対象書類名】明細書
【補正対象項目名】００１９
【補正方法】変更
【補正の内容】
【００１９】
第６の本発明は、燃料と酸化剤との供給を受けて電力を発生する固体高分子型燃料電池と、
前記固体高分子型燃料電池内を通過するように設けられた、前記固体高分子型燃料電池が有する熱を担持する第１の熱媒体が内部を循環する冷却循環系と、
前記冷却循環系内にて前記第１の熱媒体を循環させる第１の熱媒体循環手段と、
前記第１の熱媒体から伝達された熱を担持する第２の熱媒体が流れる熱媒体経路と、
前記熱媒体経路内の前記第２の熱媒体を循環させる第２の熱媒体循環手段と、
前記第１の熱媒体と前記第２の熱媒体との間で熱交換を行い、前記第１の熱媒体が担持した熱を前記第２の熱媒体へ伝達する熱交換器と、
前記第２の熱媒体の温度を検出する温度検出手段と、
を備える燃料電池システムの運転方法であって、
前記固体高分子型燃料電池の発電が停止した後も、または前記固体高分子型燃料電池への前記燃料と前記酸化剤との供給が停止した後も、前記第１の熱媒体循環手段及び前記第２の熱媒体循環手段を動作させ、前記温度検出手段によって検出された温度が予め定められた目標温度より大きい場合は、前記第２の熱媒体循環手段の搬送能力を大きくし、前記温度検出手段によって検出された温度が予め定められた目標温度より小さい場合は、前記第２の熱媒体循環手段の搬送能力を小さくするよう制御し、その後、前記第１の熱媒体循環手段及び前記第２の熱媒体循環手段を停止させる、
燃料電池システムの運転方法である。
第７の本発明は、前記第１の熱媒体循環手段及び前記第２の熱媒体循環手段を停止させたときの前記第２の熱媒体の温度がしきい温度以上である、第５又は第６の本発明の燃料電池システムの運転方法である。
第８の本発明は、前記第１の熱媒体循環動作及び前記第２の熱媒体循環手段の動作時に、前記熱交換器を通過した第２の熱媒体が貯湯漕に供給され、前記しきい温度は、前記第２の熱媒体を貯湯槽へ貯める温度として望まれる温度である、第７の本発明の燃料電池システムの運転方法である。